(57)【特許請求の範囲】
【請求項１】
椅子本体に取り付けられ、強度部材として機能するとともに着座者の後方または側方からの音の進入を遮断する遮音板と、
該遮音板の外側を覆う外装部材と、を備え、
前記椅子本体に着座した着座者の頭部の後方と左右側方とを覆う形状に形成された椅子用遮蔽部材において、
前記外装部材は、前記遮音板に外嵌されて当該遮音板の表裏両側を覆う内側吸音層と、前記内側吸音層の表面側と裏面側に配置される外側吸音層と、を有し、
前記内側吸音層が、前記外側吸音層よりも高密度に形成され、
前記内側吸音層には、厚み方向と交差する方向に開口し、前記遮音板と略同一幅のスリットが形成されていることを特徴とする椅子用遮蔽部材。
【請求項２】
前記遮音板は、椅子本体に着座した着座者の頭部の後方と左右側方とを覆う形状をなすように湾曲、若しくは、屈曲する単一の部材であり、前記内側吸音層と前記スリットは、前記遮音板に沿う形状に形成されていることを特徴とする請求項１に記載の椅子用遮蔽部材。
【請求項３】
前記外側吸音層のうちの、着座者側に位置される前層部は、着座者と相反する側に位置される後層部よりも、上下方向と略直交する方向の延出長さが短く形成されていることを特徴とする請求項２に記載の椅子用遮蔽部材。
【請求項４】
椅子本体に取り付けられ、強度部材として機能するとともに着座者の後方または側方からの音の進入を遮断する遮音板と、
該遮音板の外側を覆う外装部材と、を備え、
前記椅子本体に着座した着座者の頭部の後方と左右側方とを覆う形状に形成された椅子用遮蔽部材において、
前記外装部材は、前記遮音板に外嵌されて当該遮音板の表裏両側を覆う内側吸音層と、前記内側吸音層の表面側と裏面側に配置される外側吸音層と、を有し、
前記内側吸音層が、前記外側吸音層よりも高密度に形成され、
前記外装部材は、表皮材によって外側を覆われ、
前記外側吸音層は、着座者側に位置される前層部と、着座者と相反する側に位置される後層部とを別体部材として構成され、
前記外側吸音層の前層部と後層部のいずれか一方は、前記表皮材の内面に接合され、いずれか他方は、前記内側吸音層に接合されていることを特徴とする椅子用遮蔽部材。
【請求項５】
前記外側吸音層の後層部が前記表皮材の内面に接合され、前記外側吸音層の前層部が前記内側吸音層に接合されていることを特徴とする請求項４に記載の椅子用遮蔽部材。
【請求項６】
請求項１〜５のいずれか１項に記載の椅子用遮蔽部材が背凭れの上部に設けられていることを特徴とする椅子。
【発明の詳細な説明】
【技術分野】
【０００１】
この発明は、椅子本体に取り付けられ、着座者の後方または側方からの音の進入を遮断する椅子用遮蔽部材、及び、椅子に関するものである。
【背景技術】
【０００２】
事務用等として用いられる椅子として、背凭れの上部にヘッドレストが取り付けられたものが知られている。ヘッドレストは、椅子に着座した着座者が頭部を後方に倒したときに、着座者の頭部を後方側から支持することを主要機能とする。
【０００３】
背凭れに取り付けられる椅子のヘッドレストとして、音響装置を内蔵したものが知られている（例えば、特許文献１参照）。
【０００４】
特許文献１に記載のヘッドレストは、クッション材の内部に剛性の高い振動伝達部材が埋設され、その振動伝達部材にボイスコイル等の振動体が設置されるとともに、振動伝達部材が背凭れ内のフレームに機械的に連結されるようになっている。このヘッドレストにおいては、ボイスコイル等の振動体の振動を剛性の高い振動伝達部材を介して背凭れのフレームに伝達することにより、椅子に着座した着座者に音響振動を体感させることができる。
また、特許文献１に記載のヘッドレストは、振動伝達部材の左右両側部に斜め外側前方に向かって屈曲する翼部が設けられ、その翼部にスピーカユニットが取り付けられている。左右の各翼部は、周域をクッション材によって覆われるとともに、振動伝達部材に対してヒンジを介して回動可能に取り付けられている。
【先行技術文献】
【特許文献】
【０００５】
【特許文献１】実公平０２−０１５４３１号公報
【発明の概要】
【発明が解決しようとする課題】
【０００６】
ところで、椅子に着座して執務等を行う着座者には、周囲の雑音をできる限り遮蔽できる環境が望まれる。
周囲の雑音を遮蔽する観点で見た場合、特許文献１に記載のヘッドレストは、振動伝達部材が金属等の剛性が高く遮音性を有する部材によって形成されていることから、着座者の後方からの音の進入を僅かながらも遮蔽することができる。
【０００７】
しかし、特許文献１に記載のヘッドレストは、振動伝達部材によって音の進入をある程度遮蔽できるものの、振動伝達部材を回り込もうとする音や、振動伝達部材自体を振動させようとする音を効率良く吸収（減衰）することができない。即ち、上記のヘッドレストは、剛性の高い振動伝達部材の周域にクッション材が配置されているものの、そのクッション材が専ら着座者の頭部を柔軟に支持することを目的として設けられるものであることから、単一のクッション層が振動伝達部材の一部のみを覆っており、着座者の後方や側方から進入しようとする音をクッション材によって効率良く吸収することができない。
【０００８】
そこでこの発明は、着座者の後方または側方からの音の進入を効率良く遮断することができる椅子用遮蔽部材、及び、椅子を提供しようとするものである。
【課題を解決するための手段】
【０００９】
この出願の一の発明に係る椅子用遮蔽部材は、上記課題を解決するために、椅子本体に取り付けられ、強度部材として機能するとともに着座者の後方または側方からの音の進入を遮断する遮音板と、該遮音板の外側を覆う外装部材と、を備え、前記椅子本体に着座した着座者の頭部の後方と左右側方とを覆う形状に形成された椅子用遮蔽部材において、前記外装部材は、前記遮音板に外嵌されて当該遮音板の表裏両側を覆う内側吸音層と、前記内側吸音層の表面側と裏面側に配置される外側吸音層と、を有し、前記内側吸音層が、前記外側吸音層よりも高密度に形成され、前記内側吸音層には、厚み方向と交差する方向に開口し、前記遮音板と略同一幅のスリットが形成されるようにした。
【００１０】
これにより、着座者の後方や側方から音が進入してくると、その音は外装部材の裏面側の外側吸音層と内側吸音層とによって吸音されるとともに、強度部材として機能する遮音板によって遮蔽される。また、遮音板の表面側に回り込もうとする音は、遮音板の表面側の内側吸音層と外側吸音層によって吸収される。また、遮音板の外側を覆う外装部材は、外側吸音層と、外側吸音層の内側に配置され、外側吸音層よりも高密度の内側吸音層とを有しているため、多様な周波数の音を外側吸音層と内側吸音層によって効率良く吸収することができる。
また、外側に位置される外側吸音層は、内側吸音層に比較して低密度であるため、内側吸音層に対して相対的に軟質になる。このため、外側吸音層を変形させ易くなり、意匠面を構成する外面形状を容易に形成することが可能になる。
【００１１】
また、内側吸音層には、厚み方向と交差する方向に開口し、遮音板と略同一幅のスリットが形成されているため、遮音板を、スリットを通して内側吸音層の内側に容易に配置することが可能になる。
【００１２】
前記遮音板は、椅子本体に着座した着座者の頭部の後方と左右側方とを覆う形状をなすように湾曲、若しくは、屈曲する単一の部材であり、前記内側吸音層と前記スリットは、前記遮音板に沿う形状に形成されるようにしても良い。
この場合、強度部材として機能する遮音板が、着座者の頭部の後方と左右側方とを覆う形状をなすように湾曲、若しくは、屈曲する単一の部材であることから、着座者の頭部の後方と左右側方とを覆う形状を安定的に維持することができる。また、内側吸音層とスリットが遮音板に沿う形状であるため、遮音板をスリットを通して内側吸音層の内側に容易に配置することができる。
【００１３】
前記外側吸音層のうちの、着座者側に位置される前層部は、着座者と相反する側に位置される後層部よりも、上下方向と略直交する方向の延出長さが短く形成されるようにしても良い。
この場合、外側吸音層が着座者の頭部の後方と左右側方とを覆う形状に曲げられると、曲げ方向の外側となる面の延出長さが曲げ方向の内側となる面の延出長さよりも長くなる。外側吸音層は、前層部の上下方向と略直交する方向の延出長さが後層部よりも予め短く形成されているため、曲げ方向の内側面に皺等の余長部が生じにくくなる。したがって、この構造を採用することにより、外観体裁を向上させることができる。
【００１４】
この出願の他の発明に係る椅子用遮蔽部材は、上記課題を解決するために、椅子本体に取り付けられ、強度部材として機能するとともに着座者の後方または側方からの音の進入を遮断する遮音板と、該遮音板の外側を覆う外装部材と、を備え、前記椅子本体に着座した着座者の頭部の後方と左右側方とを覆う形状に形成された椅子用遮蔽部材において、前記外装部材は、前記遮音板に外嵌されて当該遮音板の表裏両側を覆う内側吸音層と、前記内側吸音層の表面側と裏面側に配置される外側吸音層と、を有し、前記内側吸音層が、前記外側吸音層よりも高密度に形成され、前記外装部材は、表皮材によって外側を覆われ、前記外側吸音層は、着座者側に位置される前層部と、着座者と相反する側に位置される後層部とを別体部材として構成され、前記外側吸音層の前層部と後層部のいずれか一方は、前記表皮材の内面に接合され、いずれか他方は、前記内側吸音層に接合されるようにした。
この場合、外側吸音層の前層部と後層部のいずれか一方が表皮材の内面に接合されるため、表皮材を遮音板と外装部材の外側に装着するときに、表皮材の形状を内側に接合された後層部または前層部によって容易に保持することができる。したがって、この構造を採用することにより、表皮材の装着を容易に行うことができる。
【００１５】
前記外側吸音層の後層部は前記表皮材の内面に接合され、前記外側吸音層の前層部は前記内側吸音層に接合されることが望ましい。
この場合、製造時に、表皮材の内面に外側吸音層の後層部を接合しておき、その状態で遮音板と外装部材の外側に表皮材を被せることができる。このため、表皮材の内面と外側吸音層の後層部との間に隙間ができにくくなる。したがって、この構造を採用することにより、外側吸音層の後層部と表皮材の間の隙間に起因する表皮材の浮き上がりが外部から目立ち易い外側面側に生じにくくなり、外観体裁を高めるうえでより有利となる。
【００１６】
この発明に係る椅子は、前記いずれかに記載の椅子用遮蔽部材が背凭れの上部に設けられるようにした。
【発明の効果】
【００１７】
この発明によれば、外装部材が、遮音板に外嵌されて当該遮音板の表裏両側を覆う内側吸音層と、内側吸音層の表面側と裏面側に配置される外側吸音層と、を有しているため、遮音板に向かって進入してくる音や遮音板を回り込もうとする音を外側吸音層と内側吸音層によって吸収することができ、特に、外装部材の内側吸音層が外側吸音層よりも高密度に形成されていることから、多様な周波数の音を効率良く吸収することができる。
【図面の簡単な説明】
【００１８】
【図１】この発明の一実施形態に係る椅子の正面図である。
【図２】この発明の一実施形態に係る椅子の左側面図である。
【図３】この発明の一実施形態に係る椅子の背面図である。
【図４】この発明の一実施形態に係る椅子の上面図である。
【図５】この発明の一実施形態に係る椅子の図３のＶ−Ｖ断面に対応する断面図である。
【図６】この発明の一実施形態に係る椅子の図３のＶＩ−ＶＩに断面に対応する断面図である。
【図７】この発明の一実施形態に係る遮蔽部材の一部の分解斜視図である。
【図８】この発明の一実施形態に係る椅子の図３のＶＩＩＩ−ＶＩＩＩに断面に対応する断面図である。
【図９】この発明の一実施形態に係る遮蔽部材の一部の構成部品の平面図である。
【図１０】この発明の一実施形態に係る遮蔽部材の分解断面図である。
【図１１】この発明の一実施形態に係る遮蔽部材の部分断面斜視図である。
【図１２】この発明の一実施形態に係る遮蔽部材の図１１のＸＩＩ−ＸＩＩ断面に対応する断面図である。
【図１３】この発明の一実施形態に係る遮蔽部材の一部の構成部品の平面図である。
【発明を実施するための形態】
【００１９】
以下、この発明の一実施形態を図面に基づいて説明する。なお、以下の説明においては、椅子１に正規姿勢で着座した人の前方を「前」、それと逆側を「後」と呼ぶものとする。また、「上」，「下」と「左」，「右」については、椅子１に正規姿勢で着座した人の上方を「上」、それと逆側を「下」と呼び、椅子に正規姿勢で着座した人の左側方を「左」、それと逆側を「右」と呼ぶものとする。また、図中矢印ＦＲは前方を指し、矢印ＵＰは上方を、矢印ＬＨは左側方をそれぞれ指すものとする。
【００２０】
図１は、この実施形態に係る椅子１を正面から見た図であり、図２は、同椅子１を左側方から見た図である。また、図３は、椅子１を背面から見た図であり、図４は、椅子１を上面から見た図である。
これらの図に示すように、この実施形態に係る椅子１は、床面上に載置される脚部１０と、脚部１０の上端に設置されるボックス状の支基１１と、支基１１の上面側に取り付けられて着座者の臀部を支持する座１２と、支基１１の後部に取り付けられて着座者ｍの背部を支持する背凭れ１３と、座１２の下面側の左右の両側部から座１２の上方側に延出し、着座者ｍの肘や腕先が載せ置かれる肘掛け１５と、を備えている。さらに、椅子１は、背凭れ１３の上部に取り付けられて、着座者ｍの頭部ｈを後方から支持するヘッドレスト１６と、ヘッドレスト１６を介して背凭れ１３の上部に取り付けられて、着座者ｍの頭部ｈの後方側と左右の側方を覆う椅子用遮蔽部材１７（以下、「遮蔽部材１７」と呼ぶ。）と、を備えている。
【００２１】
脚部１０は、キャスタ１８ａ付きの多岐脚１８と、多岐脚１８の中央部より起立して昇降機構であるガススプリングを内蔵する脚柱１９と、を備え、脚柱１９の上端部に支基１１が取り付けられている。支基１１には、脚柱１９の昇降調整機構と背凭れ１３の傾動調整機構が内蔵されている。
【００２２】
背凭れ１３は、着座者ｍの背部から荷重を受ける背凭れ本体２０と、背凭れ本体２０の背部に取り付けられ、着座者ｍの荷重を支持する強度を有する背凭れフレーム２１と、を備えている。背凭れ本体２０は、正面視が略矩形状の樹脂製の背板２０ａ（図３参照）を有し、背板２０ａの前面と周縁部とが表皮材２０ｂによって覆われている。また、背凭れ本体２０は、着座者ｍの腰部に対応する位置（下から三分の一程度上方に上がった位置）が最も前方に膨出するように、上下方向に沿って湾曲して形成されている。
【００２３】
背凭れフレーム２１は、正面視が下向きの略五角形状の枠状フレーム部２１Ａと、枠状フレーム部２１Ａの下端から下方に延出した後に前方側に湾曲して延びる連結フレーム部２１Ｂと、を有している。連結フレーム部２１Ｂの端部は、図示しない連結ステーを介して支基１１内の傾動機構に連結されている。
【００２４】
背凭れフレーム２１の枠状フレーム部２１Ａは、背凭れ本体２０の後方側に配置され、上半部の左右の側辺部２１Ａ−ｓ，２１Ａ−ｓと下端側の縁部とが背凭れ本体２０に対して連結されている。左右の側辺部２１Ａ−ｓ，２１Ａ−ｓの上端部同士は、背凭れフレーム２１の上部側の横梁を成す上辺部２１Ａ−ｕによって連結されている。
上辺部２１Ａ−ｕは、側辺部２１Ａ−ｓ，２１Ａ−ｓに連結される左右の端部に対し、中央領域が後方側に凹状に湾曲している。上辺部２１Ａ−ｕの幅方向の中央領域の後面には、ヘッドレスト１６等の付加機能部品を取り付けるための部品取付部２３が設けられている。部品取付部２３には、詳細な図示は省略するが付加機能部品の取付基部が当接する座面と、その取付基部を締結固定するためのボルト締結部が設けられている。この実施形態では、部品取付部２３にはヘッドレスト１６が取り付けられている。
なお、この実施形態においては、背凭れ１３や座１２、脚部１０等のヘッドレスト１６と遮蔽部材１７を除く部分が椅子本体を構成している。
【００２５】
図５は、図３のＶ−Ｖ断面に対応するヘッドレスト１６と遮蔽部材１７の断面図であり、図６は、図３のＶＩ−ＶＩ断面に対応するヘッドレスト１６と遮蔽部材１７の断面図である。また、図７は、遮蔽部材１７の一部を分解して示した図であり、図８は、図３のＶＩＩＩ−ＶＩＩＩ断面に対応するヘッドレスト１６と遮蔽部材１７の断面図である。
ヘッドレスト１６は、図６に示すように、クッション材２５ａの外側が表皮材２５ｂによって被覆されたヘッドレスト本体部２５と、上部側がヘッドレスト本体部２５内に埋設される金属等の硬質材料から成るヘッドレストフレーム２６と、を備え、ヘッドレストフレーム２６の下縁部が、背凭れフレーム２１の部品取付部２３に締結固定される取付基部２６ａとされている。また、ヘッドレストフレーム２６の取付基部２６ａの上端部位置には、図３，図８に示すように、左右の側方に張り出してヘッドレスト本体部２５の下面を支持する側方張り出し部２６ｂ，２６ｂが一体に形成されている。側方張り出し部２６ｂには、図８に示すように、遮蔽部材１７を取り付けるために締結孔２７（ねじ孔）が形成されている。
【００２６】
遮蔽部材１７は、図４，図５に示すように、上面視が略コ字状に形成されており、着座者ｍの頭部ｈの後方側を覆う後壁部１７Ａと、着座者ｍの左右の側方を覆う側壁部１７Ｂ，１７Ｂと、を有している。後壁部１７Ａは、遮蔽部材１７が背凭れフレーム２１の上部に取り付けられた状態において、ヘッドレスト１６のクッション材２５ａの背部側に配置される。側壁部１７Ｂ，１７Ｂは、遮蔽部材１７が背凭れフレーム２１の上部に取り付けられた状態において、背凭れ１３の左右の側端面より椅子幅方向外側で前方に延出している。また、側壁部１７Ｂ，１７Ｂは、図２に示すように、遮蔽部材１７が背凭れフレーム２１の上部に取り付けられた状態において、脚部１０の接地部の中心位置（脚柱１９の軸心位置）よりも前方側まで延出している。したがって、正規姿勢で椅子１に着座した着座者ｍの頭部ｈ（耳及び目の高さ位置）の左右の側方は、左右方向に充分な離間幅をもって側壁部１７Ｂ，１７Ｂによって覆われる。
【００２７】
また、図２に示すように、左右の側壁部１７Ｂの上辺は、後壁部１７Ａと連結される基部側からほぼ水平に前方に延出しているが、側壁部１７Ｂの下辺は、後壁部１７Ａと連接される基部側が若干斜め下方に延出した後に上方側に大きく湾曲して前方に延出している。したがって、側壁部１７Ｂの先端側の下面は基部側の下面に対して上方側に凹状に窪んでいる。このため、側壁部１７Ｂの下辺は、凹状の窪み部４０によって着座者ｍの肩部や腕部が接触するのを回避することができる。
【００２８】
また、図１，図４等に示すように、側壁部１７Ｂの凹状の窪み部４０の上方側位置には、着座者ｍ側に向かって部分的に膨出する吸音用膨出部４１が形成されている。この吸音用膨出部４１は、側壁部１７Ｂの外側方から内側方へ向かおうとする音を遮断するとともに、側壁部１７Ｂの下辺を回り込んで着座者ｍの頭部ｈ側に回り込もうとする音を遮断するようにも機能する。なお、吸音用膨出部４１の側壁部１７Ｂの前後方向における最適位置は、正規姿勢で椅子１に着座した着座者ｍの耳の外側方位置である。
【００２９】
遮蔽部材１７は、強度部材として機能するとともに着座者ｍの後方または側方からの音の進入を遮断する遮音板３０と、遮音板３０の外側を覆う吸音性を有する外装部材３１と、外装部材３１の外側を覆う袋状の表皮材３２と、を備えている。遮音板３０としては、例えば、金属製の板材等を用いることができ、外装部材３１としては、樹脂繊維を主原料とするウレタンや不織布等を用いることができる。また、表皮材３２としては、樹脂繊維等の織物等を用いることができる。
【００３０】
遮音板３０は、図７等に示すように、上面視が略コ字状に形成され、後壁部３０ａと、後壁部３０ａの左右の両側部から緩やかに湾曲して前方に向かって延出する側壁部３０ｂ，３０ｂと、を有している。遮音板３０は、単一の部材（例えば、金属板）が略コ字状に曲げられて形成されている。また、遮音板３０の後壁部３０ａの下端の左右に離間した位置には、遮蔽部材１７をヘッドレストフレーム２６に締結固定するための固定片２９，２９が前方側に屈曲して延設されている。
【００３１】
外装部材３１は、遮音板３０に外嵌されて遮音板３０の表裏両側を覆う内側吸音層３１Ａと、内側吸音層３１Ａのさらに表裏両側を覆う外側吸音層３１Ｂと、を有している。内側吸音層３１Ａは、外側吸音層３１Ｂよりも高密度、かつ高剛性に形成されている。また、内側吸音層３１Ａの肉厚は、外側吸音層３１Ｂの肉厚よりも薄く形成されている。
【００３２】
内側吸音層３１Ａは、平面視が略同形状の同材質の二枚の吸音部材が熱溶着等によって接合されて構成されている。ここで、着座者ｍ側に位置される吸音部材を前層部３１Ａ−ｆと呼び、着座者ｍと相反する側に位置される吸音部材を後層部３１Ａ−ｒと呼ぶものとすると、相互に接合された前層部３１Ａ−ｆと後層部３１Ａ−ｒの間には、遮音板３０と略同一幅で下方側に開口する（厚み方向と交差する方向に開口する）スリット３３が形成されている。
【００３３】
また、外側吸音層３１Ｂは、平面視が内側吸音層３１Ａと略同形状の二枚の吸音部材によって構成されている。ここで、着座者ｍ側に位置される吸音部材を前層部３１Ｂ−ｆと呼び、着座者ｍと相反する側に位置される吸音部材を後層部３１Ｂ−ｒと呼ぶものとすると、前層部３１Ｂ−ｆは、内側吸音層３１Ａの前層部３１Ａ−ｆの前面側に溶着等によって一体に接合されており、後層部３１Ｂ−ｒは、内側吸音層３１Ａに接合されずに、表皮材３２の裏面側の内面に縫合や接着等によって接合されている。
【００３４】
図９は、内側吸音層３１Ａの前面側に外側吸音層３１Ｂの前層部３１Ｂ−ｆを接合した外装ユニットＵを示す正面図であり、図１０は、遮蔽部材１７を分解して示した縦断面図である。なお、図９では、外装ユニットＵが平坦に展開した状態で示されているが、外装ユニットＵは、遮音板３０と略同形状に予め屈曲させた状態で部材相互間を熱溶着等によって接合したり、平坦に展開した状態の部材同士を製造機内で加熱して相互に溶着した後に、遮音板３０と略同形状に変形させるようにしても良い。
遮蔽部材１７を製造する場合には、図７，図９に示すように、遮音板３０と、外装ユニットＵと、裏面側の内側面に外側吸音層３１Ｂの後層部３１Ｂ−ｒを接合した表皮材３２を用意し、最初に、外装ユニットＵのうちの内側吸音層３１Ａのスリット３３に対し、遮音板３０を下方から挿入する。このとき、遮音板３０は、下端の一対の固定片２９，２９を除くほぼ全域がスリット３３内に配置され、一対の固定片２９，２９は、外装ユニットＵの下端から下方前方側に突出する。
【００３５】
次に、この状態から遮音板３０をスリット３３内に配置した外装ユニットＵを、袋状の表皮材３２の下端の開口を通して表皮材３２の内側に収容する。このとき、外装ユニットＵの内側吸音層３１Ａの後層部３１Ａ−ｒの背面側には、表皮材３２の裏面側の内側面に接合された外側吸音層３１Ｂの後層部３１Ｂ−ｒが重ね合せられる。また、このとき一対の固定片２９，２９は、表皮材３２の下端から下方前方側に突出する。最後に、袋状の表皮材３２の下端の開口が線ファスナー等によって閉じられる。
【００３６】
また、このようにして製造された遮蔽部材１７は、後壁部１７Ａをヘッドレスト１６の背部にあてがい、図８に示すように、左右の各固定片２９をヘッドレストフレーム２６の側方張り出し部２６ｂの下面に当接させてビス３４を締め込むことにより、ヘッドレスト１６に一体に固定される。
そして、こうしてヘッドレスト１６に固定された遮蔽部材１７は、ヘッドレスト１６の取付基部２６ａが背凭れフレーム２１の上部の部品取付部２３に締結されることにより、背凭れ１３に一体に固定される。
【００３７】
図１１は、遮蔽部材１７の側壁部１７Ｂを一部断面にして示した斜視図であり、図１２は、図１１のＸＩＩ−ＸＩＩ断面に対応する断面図である。また、図１３は、内側吸音層３１Ａの前層部３１Ａ−ｆの成形前の形状を示す図である。
内側吸音層３１Ａの前層部３１Ａ−ｆの左右の側壁部１７Ｂに対応する部分の下端には、図１３に示すように、下方に矩形状に延出する延長部４２が延設されている。延長部４２は、その端面が隣接する吸音部材である内側吸音層３１Ａの後層部３１Ａ−ｒの表面に当接するようにして、内側に湾曲させて曲げられている。このように曲げられた延長部４２の外側は、外側吸音層３１Ｂの前層部３１Ｂ−ｆの下縁によって覆われる。内側吸音層３１Ａの後層部３１Ａ−ｒと前層部３１Ａ−ｆと外側吸音層３１Ｂの前層部３１Ｂ−ｆとは、この状態で熱溶着等によって相互に接合されることにより、図１２に示すように、延長部４２の内側に略半円状の空洞部４３が形成される。前述した吸音用膨出部４１は、隣接する後層部３１Ａ−ｒから一部が浮き上がるように曲げられた延長部４２と、その外側を覆う外側吸音層３１Ｂの前層部３１Ｂ−ｆとによって主に構成されている。
【００３８】
以上のように、この実施形態に係る遮蔽部材１７は、強度部材として機能する剛性の高い遮音板３０の外側が外装部材３１によって被覆され、その外装部材３１が、遮音板３０に外嵌されて遮音板３０の表裏両側を覆う内側吸音層３１Ａと、内側吸音層３１Ａの表面側と裏面側に配置される外側吸音層３１Ｂと、を有している。このため、着座者ｍの後方や側方から進入してくる音を遮音板３０によって遮断することができるとともに、遮音板３０に向かって進入してくる音や遮音板３０を回り込もうとする音を外側吸音層３１Ｂと内側吸音層３１Ａによって効率良く吸収することができる。
特に、この実施形態に係る遮蔽部材１７は、外装部材３１の内側吸音層３１Ａが外側吸音層３１Ｂよりも高密度に形成されていることから、多様な周波数成分を含む雑音を効率良く吸収することができる。
【００３９】
また、この実施形態に係る遮蔽部材１７においては、内側吸音層３１Ａが外側吸音層３１Ｂよりも高剛性に形成されているため、内側吸音層３１Ａが強度部材として機能する遮音板３０に高い剛性をもって保持されることになる。したがって、この遮蔽部材１７の場合、全体形状を安定的に保持することができる。
さらに、この実施形態の場合、外側吸音層３１Ｂは、内側吸音層３１Ａに比較して低密度であるため、内側吸音層３１Ａに対して相対的に軟質になる。したがって、この構造を用いることにより、外側吸音層３１Ｂを変形させ易くなり、意匠面を構成する外面形状を容易に形成することが可能になる。
【００４０】
また、この実施形態に係る遮蔽部材１７の場合、下方に開口するスリット３３が、内側吸音層３１Ａに遮音板３０と略同一幅で形成されている。このため、遮蔽部材１７の製造時には、遮音板３０をスリット３３を通して内側吸音層３１Ａの内側に容易に配置することができる。
【００４１】
さらに、この実施形態に係る遮蔽部材１７は、遮音板３０が略コ字状に湾曲した単一の部材によって形成され、内側吸音層３１Ａとスリット３３が遮音板３０に沿う形状に形成されている。このため、強度部材として機能する遮音板３０の後壁部３０ａと左右の側壁部３０ｂ，３０ｂによって着座者ｍの頭部ｈの後方と左右の側方とを覆う形状を安定的に維持することができる。また、内側吸音層３１Ａとスリット３３が遮音板３０に沿う形状であるため、この構造を採用することにより、遮音板３０をもスリット３３を通して内側吸音層３１Ａの内側に容易に配置することができる。
【００４２】
また、この実施形態に係る遮蔽部材１７においては、外側吸音層３１Ｂの前層部３１Ｂ−ｆの屈曲方向に沿う長さが、外側吸音層３１Ｂの後層部３１Ｂ−ｒの屈曲方向に沿う長さよりも短く形成されている。このため、前層部３１Ｂ−ｆの曲げ方向の内側面に周長差による皺等の余長部が生じにくくなる。したがって、この構造を採用することにより、外観体裁をより向上させることができる。
【００４３】
また、この実施形態に係る遮蔽部材１７においては、外側吸音層３１Ｂが別体部材として前層部３１Ｂ−ｆと後層部３１Ｂ−ｒとを有し、前層部３１Ｂ−ｆと後層部３１Ｂ−ｒの一方が表皮材３２の内面に接合され、前層部３１Ｂ−ｆと後層部３１Ｂ−ｒの他方が内側吸音層３１Ａに接合されている。このため、表皮材３２を遮音板３０と外装部材３１の外側に装着するときに、表皮材３２の形状を外側吸音層３１Ｂの一部によって容易に保持することができる。したがって、この構造を採用することにより、表皮材３２の装着を容易に行うことができる。
【００４４】
特に、この実施形態の場合、外側吸音層３１Ｂの後層部３１Ｂ−ｒ側が表皮材３２の内面に接合され、前層部３１Ｂ−ｆ側が内側吸音層３１Ａに接合されているため、遮蔽部材３１の製造時に、表皮材３２の内面に外側吸音層３１Ｂの後層部３１Ｂ−ｒを接合しておき、その状態で内部に遮音板３０を収容した外装ユニットＵの外側に表皮材３２を被せることができる。したがって、こうして遮蔽部材３１を製造することにより、表皮材３２の内面と外側吸音層３１Ｂの後層部３１Ｂ−ｒとの間に隙間ができにくくなる。この結果、外側吸音層３１Ｂの後層部３１Ｂ−ｒと表皮材３２の間の隙間に起因する表皮材３２の浮き上がりが、外部から目立ち易い遮蔽部材３１の外側面に生じにくくなる。したがって、この構造を採用することにより、外観体裁をより高めることができる。
【００４５】
なお、この発明は上記の実施形態に限定されるものではなく、その要旨を逸脱しない範囲で種々の設計変更が可能である。例えば、上記の実施形態においては、遮蔽部材１７がヘッドレスト１６に固定されてヘッドレスト１６とともに椅子１の背凭れ１３に取り付けられているが、ヘッドレスト１６を背凭れ１３に取り付けずに、遮蔽部材１７を単独で背凭れ１３に取り付けるようにしても良い。また、上記の実施形態においては、遮蔽部材１７が背凭れ１３と別体部品として製造され、背凭れ１３に追加機能部品として脱着可能に取り付けられているが、遮蔽部材は背凭れに一体に形成するようにしても良い。
【符号の説明】
【００４６】
１  椅子
１７  遮蔽部材（椅子用遮蔽部材）
３０  遮音板
３１  外装部材
３１Ａ  内側吸音層
３１Ｂ  外側吸音層
３１Ｂ−ｆ  前層部
３１Ｂ−ｒ  後層部
３２  表皮材
３３  スリット
【図１】
0006440301.tif 000002
【図２】
0006440301.tif 000003
【図３】
0006440301.tif 000004
【図４】
0006440301.tif 000005
【図５】
0006440301.tif 000006
【図６】
0006440301.tif 000007
【図７】
0006440301.tif 000008
【図８】
0006440301.tif 000009
【図９】
0006440301.tif 000010
【図１０】
0006440301.tif 000011
【図１１】
0006440301.tif 000012
【図１２】
0006440301.tif 000013
【図１３】
0006440301.tif 000014